(57)【要約】【課題】外刃の頂点を境にして進行方向前側に設けられる第１の起毛桟と後側に設けられる第２の起毛桟の起毛力の差を緩和して、より効率的に体毛を起こすことのできる電気かみそりを得る。【解決手段】進行方向後側に設けられる第２の起毛桟３３Ｂを、進行方向前側に設けられる第１の起毛桟３３Ａに対して頂点Ｙに近づけて配置する。これにより、第１の起毛桟３３Ａと第２の起毛桟３３Ｂの起毛力の差を緩和することができ、より効率的に体毛を起こすことができるようになる。【選択図】図１０
2011200481.tif 000002
【特許請求の範囲】
【請求項１】
かみそり本体と、
桟によって画成された刃穴を有する外刃と、
当該外刃の内方に配設されて前記外刃に対して相対移動することで、前記刃穴に挿入させた体毛を切断する内刃と、を備え、
前記外刃が、肌面側に向けて突出した円弧状に形成されるとともに、前記かみそり本体の端部に露出して設けられる電気かみそりであって、
前記外刃の桟は、肌面上を移動する際に体毛に当接して肌面に対して体毛を起立させる起毛部を有した起毛桟を備えるとともに、
前記起毛桟は、互いに同一形状に形成され、前記外刃の頂点を境にして前記かみそり本体の進行方向前側に設けられる第１の起毛桟と、進行方向後側に設けられる第２の起毛桟と、を備えており、
前記第２の起毛桟を、前記第１の起毛桟に対して前記頂点に近づけて配置したことを特徴とする電気かみそり。
【発明の詳細な説明】
【技術分野】
【０００１】
本発明は、電気かみそりに関する。
【背景技術】
【０００２】
従来から、体毛を剃る種々の電気かみそりが開発されている。ここで、体毛の延びている方向と肌面とのなす角度は起毛角と呼ばれているが、起毛角が大きい（例えば、４５°〜６０°）体毛は剃りやすいが、起毛角が小さい（例えば、３０°以下）体毛、すなわち、寝ている体毛は剃りにくいという問題がある。そこで、寝ている体毛を起こす起毛力が従来よりも大きい起毛部を外刃の桟に設けた電気かみそりが開発されている（例えば、特許文献１参照）。
【先行技術文献】
【特許文献】
【０００３】
【特許文献１】特許第３０８３５４８号公報
【発明の概要】
【発明が解決しようとする課題】
【０００４】
ところで、上記従来の技術にあっては、この起毛部を有した外刃の起毛桟を均等に配置させているが、外刃は通常、肌面側に突出した円弧状に形成されている。
【０００５】
そのため、電気かみそりの使用時には、外刃の頂点を境にして進行方向前側の肌接触面と、進行方向後側の肌接触面とでは肌への密着の仕方が異なり、後側の肌接触面に設けられる第２の起毛桟が、前側に設けられる第１の起毛桟の起毛力よりも小さくなってしまう恐れがあった。
【０００６】
そこで、本発明は、外刃の頂点を境にして進行方向前側に設けられる第１の起毛桟と後側に設けられる第２の起毛桟の起毛力の差を緩和して、より効率的に体毛を起こすことのできる電気かみそりを得ることを目的とする。
【課題を解決するための手段】
【０００７】
かかる課題を解決するために、本発明にあっては、かみそり本体と、桟によって画成された刃穴を有する外刃と、当該外刃の内方に配設されて前記外刃に対して相対移動することで、前記刃穴に挿入させた体毛を切断する内刃と、を備え、前記外刃が、肌面側に向けて突出した円弧状に形成されるとともに、前記かみそり本体の端部に露出して設けられる電気かみそりであって、前記外刃の桟は、肌面上を移動する際に体毛に当接して肌面に対して体毛を起立させる起毛部を有した起毛桟を備えるとともに、前記起毛桟は、互いに同一形状に形成され、前記外刃の頂点を境にして前記かみそり本体の進行方向前側に設けられる第１の起毛桟と、進行方向後側に設けられる第２の起毛桟と、を備えており、前記第２の起毛桟を、前記第１の起毛桟に対して前記頂点に近づけて配置したことを特徴とする。
【発明の効果】
【０００８】
本発明によれば、進行方向後側に設けられる第２の起毛桟を、進行方向前側に設けられる第１の起毛桟に対して頂点に近づけて配置したので、これら第１の起毛桟と第２の起毛桟の起毛力の差を緩和することができ、より効率的に体毛を起こすことができるようになる。
【図面の簡単な説明】
【０００９】
【図１】本発明の一実施形態にかかる電気かみそりを示した正面図である。
【図２】図１に示す刃部の内刃を示した斜視図である。
【図３】図１のヘッド部を示した斜視図である。
【図４】図３の外刃の説明図である。
【図５】図１の外刃の一部を拡大した斜視図である。
【図６】（ａ）は図５のＡ−Ａ断面図、（ｂ）は短手方向端の拡大断面図である。
【図７】（ａ）は図５のＢ−Ｂ断面図、（ｂ）は起毛部の拡大断面図である。
【図８】図７の長手方向桟周辺を拡大した斜視図である。
【図９】図８のＣ−Ｃ断面図である。
【図１０】図３の外刃が肌面に接触した状況を示す説明図である。
【図１１】従来の外刃が肌面に当接した状況を示す説明図である。
【発明を実施するための形態】
【００１０】
以下、本発明の実施形態について図面を参照しつつ詳細に説明する。図１〜１０は、本発明の一実施形態にかかる電気かみそりを示した図である。
【００１１】
図１に示すように、本実施形態の電気かみそり１は、かみそり本体３と、このかみそり本体３の先端に設けられる刃部４と、刃部４を動作させる図示せぬ駆動部と、を主体に構成されている。
【００１２】
かみそり本体３は、本実施形態では使用者が把持するグリップ部７と、該グリップ部７の上端部に連結されるヘッド部５とに分割されており、体毛を処理する刃部４が前記ヘッド部５に、駆動部により刃部４を動作させる（電源をオン、オフさせる）押圧式のスイッチ９が前記グリップ部７に設けられている。
【００１３】
刃部４は、図２および３に示すように、かみそり本体３の端部に露出して設けられる外刃１１と、この外刃１１の内方（外刃１１の下側）に配設されて、長手方向２３に往復移動する内刃１３とを備えている。
【００１４】
そして、本実施形態の外刃１１にあっては、第１のネット刃１７と、第２のネット刃１９と、第３のネット刃２１とから成り、電気かみそり１の進行方向（剃り方向）となる短手方向２５に沿って並列配置されるようになっている。具体的には、これら第１〜第３のネット刃１７、１９、２１は、前記短手方向２５と直交する長手方向２３に沿って延在しており、短手方向２５の両端（一端側と他端側）に第１のネット刃１７と第２のネット刃１９とが配置され、これら第１のネット刃１７と第２のネット刃１９との間に第３のネット刃２１が配置されている。
【００１５】
外刃１１を構成する第１〜第３のネット刃１７、１９、２１は、図４に示すように、使用者の肌側（本実施形態では上方）に向けて突出した円弧状に形成される。本実施形態では、第１〜第３のネット刃１７、１９、２１の短手方向２５に沿う断面が、それぞれ頂部２７および両側部２９、２９を有した逆Ｕ字状に形成されており、内刃１３は、このネット刃１７、１９、２１の内側形状に沿った形に形成されている。
【００１６】
外刃１１には、図５に示すように、それぞれ無数の刃穴３６が形成されており、これらの刃穴３６より取り込んだ体毛を、内刃１３が外刃１１に対して相対移動（長手方向２３に往復移動）することで、これら内刃１３と外刃１１とが協働して体毛を切断するようになっている。
【００１７】
刃穴３６は、その周囲を桟３２によって区画することにより形成されている。すなわち、外刃１１の桟３２は、短手方向２５に沿う方向に逆Ｕ字状に延在する横桟３５と、長手方向２３に沿う方向に延在する縦桟３０とを備えており、これら横桟３５および縦桟３０によって刃穴３６が画成されている。この刃穴３６は、体毛を挿入可能な大きさに形成されている。なお、同図中、一点鎖線Ｙは、頂部２７の短手方向２５の中心を通る中心線（頂点）である。
【００１８】
ここで、本実施形態の縦桟３０は、後述する起毛部４５が設けられた起毛桟３３と、この起毛桟３３よりも起毛力の小さい一般縦桟３１とを備えている。
【００１９】
一般縦桟３１は、図６（ａ）、（ｂ）に示すように、断面略平板状に形成されており、一般縦桟３１の短手方向端（起毛部）４１は、曲率半径Ｒ１の断面半円状に形成されている。このＲ１は、例えば１０μｍが好ましい。なお、横桟３５の表面３７は一般縦桟３１の表面４２よりも肌側に近づけており、一般縦桟３１の表面４２と横桟３５との上下距離はＬ１に設定されている。
【００２０】
一方、起毛桟３３は、図７（ａ）に示すように、左右対称の断面略Ｕ字状に形成されており、短手方向の中央部外面４９は平坦に形成され、この中央部外面４９から両端に行くにしたがって外刃１１の外側（図中上方）に向かって斜めに立ち上がる屈曲部４７が設けられ、この屈曲部４７の先端が先細り形状の起毛部４５となっている。この起毛部４５は、肌面とのなす角度が小さい体毛（寝ている体毛）を、より効率的に起こす起毛作用を有している。
【００２１】
また、屈曲部４７のうち上側の面は傾斜上面５１であり、下側の面は傾斜下面５３になっている。すなわち、起毛桟３３は、中央部外面４９、傾斜上面５１、傾斜下面５３および底面５５によって画成されている。また、屈曲部４７の短手方向端４３と横桟３５の表面３７との上下距離はＬ２に設定されており、Ｌ２<Ｌ１の大小関係でオフセット配置されている。このＬ１とＬ２との差は、例えば１０μｍが好ましい。
【００２２】
さらに、図７（ｂ）に示すように、屈曲部４７の短手方向端４３は、曲率半径Ｒ２の断面半円状に形成されており、Ｒ２<Ｒ１の大小関係に設定されている。このＲ２は、例えば３μｍが好ましい。ここで、二点鎖線で示す短手方向の基準線５７と傾斜上面５１とのなす逃げ角度αは、前述した図６（ａ）のように一般縦桟３１の表面４１と前記基準線５７とのなす逃げ角度（０°）よりも大きく設定されている。
【００２３】
図８および９に示すように、起毛桟３３の長手方向端部６１は、横桟３５の側壁面５９から長手方向に向けて断面略直線状に延びており、長手方向端部６１と長手方向中央部６３とは、境界部６５を介してなだらかに湾曲して連結されている。この境界部６５の曲率半径は例えば１０μｍが好ましい。
【００２４】
このように、本実施形態の外刃１１では、一般縦桟３１の起毛力に対して起毛桟３３の起毛力が大きくなっている。即ち、一般縦桟３１の短手方向端４１も体毛を起立させる起毛部として機能するのであるが、起毛桟３３の起毛部４５の方が、より効率的に寝ている体毛を起こすことができる。
【００２５】
したがって、本実施形態の外刃１１によれば、一般縦桟３１よりも起毛力の大きい起毛桟３３によって、起毛角が小さい（例えば、３０°以下）体毛も効率的に起毛させることができるようになる。ところが、この外刃１１は上述したように、肌側に突出した円弧状に形成されているため、外刃１１の頂点Ｙを境にして進行方向前側に設けられる第１の起毛桟と、進行方向後側に設けられる第２の起毛桟とが均等に配置されていると、第２の起毛桟の起毛力が弱くなってしまう恐れがあった。
【００２６】
すなわち、図１１に示す従来例のように、使用者は通常、電気かみそり１をスライドさせる際には、外刃１０１の進行方向前側の肌接触面１０８Ａを肌面３７に押しつけながら進行方向に沿って外刃１０１を移動させる。そのため、肌接触面１０８Ａの肌面３７への密着領域の方が、肌接触面１０８Ｂの肌面３７への密着領域よりも大きくなり、第１の起毛桟１０３Ａと第２の起毛桟１０３Ｂとを均等（即ち、頂点Ｙを境にして左右対象）に配置させると、第２の起毛桟１０３Ｂが密着領域の狭い肌接触面１０８Ｂに設けられている分、十分に肌面３７に接触しない可能性がある。よって、第２の起毛桟１０３の起毛部が肌面３７に対して十分に接触せずに（食い込まずに）、第１の起毛桟１０３Ａに対して第２の起毛桟１０３Ｂの起毛力が弱くなってしまう。
【００２７】
そこで、図１０に示すように、本実施形態では、進行方向後側に設けられる第２の起毛桟３３Ｂを、進行方向前側に設けられる第１の起毛桟３３Ａに対して、外刃１１の頂点Ｙに近づけて配置するようにしている。
【００２８】
このように、第２の起毛桟３３Ｂを第１の起毛桟３３Ａに対して頂点Ｙに近づけて配置することで、第１の起毛桟３３Ａと第２の起毛桟３３Ｂとを左右対象に配置させた場合と比べて、第２の起毛桟３３Ｂの起毛部４５を肌面３７により接触させやすくすることができるようになる。その結果、第１の起毛桟３３Ａと第２の起毛桟３Ｂの起毛力の差を緩和することができるようになり、より効率的に体毛を起こすことができる。
【００２９】
なお、本実施形態では、第１〜第３のネット刃１７、１９、２１のすべてに上記特徴点（第２の起毛桟３３Ｂを第１の起毛桟３３Ａに対して頂点Ｙに近づけて配置する点）を適用している。そして、このような電気かみそり１を使用するにあたっては、ヘッド部５のフレーム１５（図３参照）などに進行方向を表示するのが好ましい。また、図５に示すように、本実施形態では起毛桟３３による起毛効果を高めるために、第１および第２の起毛桟３３Ａ、３３Ｂを長手方向２５に沿ってそれぞれオフセット配置させているが、オフセットさせずに直線状に配置してもよい。
【００３０】
以上、詳細に亘って説明してきたように、本実施形態の電気かみそり１では、外刃１１の桟３２は、肌面上を移動する際に体毛に当接して肌面３７に対して体毛を起立させる起毛部４５を有した起毛桟３３を備えるとともに、前記起毛桟３３は、互いに同一形状の第１の起毛桟３３Ａと第２の起毛桟３３Ｂとを備えている。そして、外刃１１の頂点Ｙを境にして進行方向後側に設けられる第２の起毛桟３３Ｂを、進行方向前側に設けられる第１の起毛桟３３Ａに対して頂点Ｙに近づけて配置している。
【００３１】
したがって、第１の起毛桟３３Ａと第２の起毛桟３３Ｂとを左右対象に配置させた場合と比べて、第２の起毛桟３３Ｂの起毛部４５を肌面３７により接触させやすくすることができるようになる。その結果、第１の起毛桟３３Ａと第２の起毛桟３３Ｂの起毛力の差を緩和することができるようになり、より効率的に体毛を起こすことができる。そして、より効率的に体毛を起こすことができるようになることで、寝ている体毛の外刃１１に対する導入性能の向上を図ることができ、電気かみそり１の剃り能力を高めることができる。
【００３２】
また、図５に示すように、本実施形態ではこの第１および第２の起毛桟３３Ａ、３３Ｂを、肌との接触圧が高くなる部位（外刃１１の頂部２７の範囲）には設けずに、接触圧が低い部位（外刃１１の両側部２９、２９）に設けている。したがって、起毛桟３３による肌面３７への影響（ダメージ）を抑制することができる。
【００３３】
さらにまた、本実施形態では、桟３２は、外刃１１の長手方向２３に沿って延設される縦桟３０と、短手方向２５に沿って延設される横桟３５とからなり、前記縦桟３０に起毛部４５を設けた起毛桟３３を配置している。そのため、起毛桟３３によって起立させた体毛を刃穴３６に挿入しやすくなり、体毛を剃りやすくすることができるという効果がある。
【００３４】
また、本実施形態では、起毛桟３３の起毛部４５を、外刃１１の外側（図中上方）に向かって斜めに立ち上がる先細り状としている。このように、短手方向端４３を断面テーパ状（先細り形状）にして起毛部４５とすることで、簡素な形状で起毛部４５を形成することができる。また、起毛部４５を外刃１１の外側（図中上方）に向かって斜めに立ち上がる先細り状とすることで、起毛角の小さい体毛が、起毛部４５と肌との間に潜り込んでしまうのを抑制することができ、寝ている体毛をより確実に起立させることができる。
【００３５】
また、本実施形態では、起毛桟３３における長手方向端部６１は断面略直線状に形成し、長手方向中央部６３に屈曲部４７を設け、これらの長手方向端部６１と長手方向中央部６３との境界部６５をなだらかに湾曲させて連結させている。このように、起毛桟３３における長手方向端部６１と長手方向中央部６３との境界部６５をなだらかに湾曲させて連結させることにより、外刃１１を肌面３７上に沿って移動させたときに、境界部６５が肌面３７に与える影響（ダメージ）を抑制することができる。
【００３６】
以上、本発明の好適な実施形態について説明したが、本発明は上記実施形態には限定されず、種々の変形が可能である。例えば、上記実施形態では、一方向および他方向へスライドさせることの可能な電気かみそり１を例示したが、形状的に方向性のある（スライドさせる方向が決まっている）電気かみそりに本発明を適用するのがより好適である。
【符号の説明】
【００３７】
１    電気かみそり
３    かみそり本体
１１  外刃
１３  内刃
１７  第１のネット刃
１９  第２のネット刃
２１  第３のネット刃
３２  桟
３３  起毛桟
３３Ａ  第１の起毛桟
３３Ｂ  第２の起毛桟
３６  刃穴
３７  肌面
Ｙ    頂点
【図１】
2011200481.tif 000003
【図２】
2011200481.tif 000004
【図３】
2011200481.tif 000005
【図４】
2011200481.tif 000006
【図５】
2011200481.tif 000007
【図６】
2011200481.tif 000008
【図７】
2011200481.tif 000009
【図８】
2011200481.tif 000010
【図９】
2011200481.tif 000011
【図１０】
2011200481.tif 000012
【図１１】
2011200481.tif 000013